(57)【要約】【課題】画質をより向上させた光学シートを提供する。【解決手段】光学シート２０は、光を発する複数の発光素子１１が設けられた表示部１０の出射面１０ａの側に配置される光学シートであって、発光素子１１から発せられた光が入射する第１面２１ａ及び光が出射する第２面２１ｂを有し、複数の発光素子１１の各々と対応する画素領域２５が複数設けられたシート本体２１と、シート本体２１に設けられ、第１面２１ａから入射した光を拡散させる複数の拡散部２３と、シート本体２１において、隣接する画素領域２５間に配置された遮光部２４と、シート本体２１の前記第２面側に設けられ、光透過性及びシート本体２１と同等の屈折率を有し、シート本体２１と１０表示部１０の出射面１０ａとを接合する接合層２２と、を備える。【選択図】図２
2018066871.tif 000002
【特許請求の範囲】
【請求項１】
光を発する複数の発光素子が設けられた表示部の出射面の側に配置される光学シートであって、
前記発光素子から発せられた光が入射する第１面及び光が出射する第２面を有し、複数の前記発光素子の各々と対応する画素領域が複数設けられたシート本体と、
前記シート本体に設けられ、前記第１面から入射した光を拡散させる複数の拡散部と、
前記シート本体において、隣接する前記画素領域の間に配置された遮光部と、
前記シート本体の前記第２面側に設けられ、光透過性及び前記シート本体と同等の屈折率を有し、前記シート本体と前記表示部の前記出射面とを接合する接合層と、
を備える光学シート。
【請求項２】
請求項１に記載の光学シートであって、
前記光学シートの厚さをＨ、隣接する前記画素領域の中心間の距離をＰとした場合に、
５０°＜９０°−ａｒｃ・ｔａｎ（Ｈ／（Ｐ／２））＜７０°
を満たすこと、
を特徴とする光学シート。
【請求項３】
請求項１又は請求項２に記載の光学シートであって、
複数の前記拡散部は、前記シート本体に離散的に配置されていること、
を特徴とする光学シート。
【請求項４】
請求項３に記載の光学シートであって、
複数の前記拡散部は、前記シート本体の前記第２面の側に配置されていること、
を特徴とする光学シート。
【請求項５】
請求項１から請求項４までのいずれか１項に記載の光学シートであって、
前記遮光部は、前記シート本体の厚さ方向に沿って延在し、側面に光反射層又は光吸収層を備えること、
を特徴とする光学シート。
【請求項６】
請求項１から請求項５までのいずれか１項に記載の光学シートと、
光を発する複数の発光素子が設けられた表示部と、
を備える表示装置。
【請求項７】
請求項６に記載の表示装置を複数備え、前記表示装置の側面同士が隙間を介して対向するように設置された配列型表示装置であって、
前記表示装置は、前記光学シートの側面に達した光を、前記側面から前記隙間を介して観察側に出射させる導光部を備えること、
を特徴とする配列型表示装置。
【請求項８】
請求項７に記載の配列型表示装置であって、
前記導光部は、第１傾斜面及び前記第１傾斜面と対向する第２傾斜面から構成される単位光学形状部を複数備えること、
を特徴とする配列型表示装置。
【請求項９】
請求項８に記載の配列型表示装置であって、
前記単位光学形状部は、前記光学シートの前記第１面側から前記第２面側に向かうにつれて、高さが段階的に低くなること、
を特徴とする配列型表示装置。
【発明の詳細な説明】
【技術分野】
【０００１】
本発明は、光学シート、表示装置及び配列型表示装置に関する。
【背景技術】
【０００２】
複数のＬＥＤ（発光ダイオード）を基板上に配列したＬＥＤ表示装置は、高輝度、大画面の表示装置として使用されている。このＬＥＤ表示装置では、１つのＬＥＤからなる画素が数ｍｍ程度の狭い間隔で配列されているが、ＬＥＤは指向性の強い明るい光を発するため、画素間の黒色空間が目立ち、解像度の低い画像に見えてしまうことがある。そこで、ＬＥＤから発せられた光を平行光に偏向した後、光学シートで拡散させることにより、画素間の黒色空間量を減らすようにした表示装置が開示されている（特許文献１参照）。
【先行技術文献】
【特許文献】
【０００３】
【特許文献１】特表２００８−５０３０３４号公報
【発明の概要】
【発明が解決しようとする課題】
【０００４】
上記表示装置では、画素間の黒色空間量は減少しているものの、依然として画素間の黒色空間は目立ちやすい。従って、ＬＥＤ表示装置においては、画素間の黒色空間をより目立たなくして、画質をより向上させることが求められている。
【０００５】
本発明の課題は、画質をより向上させた光学シート、表示装置及び配列型表示装置を提供することである。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
第１の発明は、光を発する複数の発光素子が設けられた表示部の出射面の側に配置される光学シートであって、前記発光素子から発せられた光が入射する第１面（２１ａ）及び光が出射する第２面（２１ｂ）を有し、複数の前記発光素子の各々と対応する画素領域（２５）が複数設けられたシート本体（２１）と、前記シート本体に設けられ、前記第１面から入射した光を拡散させる複数の拡散部（２３）と、前記シート本体において、隣接する前記画素領域の間に配置された遮光部（２４）と、前記シート本体の前記第２面側に設けられ、光透過性及び前記シート本体と同等の屈折率を有し、前記シート本体と前記表示部の前記出射面とを接合する接合層（２２）と、を備える光学シート（２０）である。
第２の発明は、第１の発明の光学シートであって、光学シートの厚さをＨ、隣接する画素（２５）の中心間の距離をＰとした場合に、５０°＜９０°−ａｒｃ・ｔａｎ（Ｈ／（Ｐ／２））＜７０°を満たすこと、を特徴とする光学シート（２０）である。
第３の発明は、第１又は第２の発明の光学シートであって、複数の前記拡散部（２３）は、前記シート本体（２１）に離散的に配置されていること、を特徴とする光学シート（２０）である。
第４の発明は、第３の発明の光学シートであって、複数の前記拡散部（２３）は、前記シート本体（２１）の前記第２面（２１ｂ）の側に配置されていること、を特徴とする光学シート（２０）である。
第５の発明は、第１から第４までのいずれかの発明の光学シートであって、前記遮光部（２４）は、前記シート本体（２１）の厚さ方向に沿って延在し、側面に光反射層又は光吸収層を備えること、を特徴とする光学シート（２０）である。
第６の発明は、第１から第５までのいずれかの発明の光学シート（２０）と、光を発する複数の発光素子（１１）が設けられた表示部（１０）と、を備える表示装置（１）である。
第７の発明は、第６の発明の表示装置（１）を複数備え、前記表示装置の側面同士が隙間を介して対向するように設置された配列型表示装置であって、前記表示装置は、前記光学シート（２０）の側面に達した光を、前記側面から前記隙間を介して観察側に出射させる導光部（２００）を備えることを特徴とする配列型表示装置（１００）である。
第８の発明は、第７の発明の配列型表示装置であって、前記導光部（２００）は、第１傾斜面（２１１）及び前記第１傾斜面と対向する第２傾斜面（２１２）から構成される単位光学形状部（２１０）を複数備えること、を特徴とする配列型表示装置（１００）である。
第９の発明は、第８の発明の配列型表示装置であって、前記単位光学形状部（２１０）は、前記光学シート（２０）の前記第１面（２１ａ）側から前記第２面（２１ｂ）側に向かうにつれて、高さが段階的に低くなること、を特徴とする配列型表示装置（１００）である。
【発明の効果】
【０００７】
本発明によれば、画質をより向上させた光学シート、表示装置及び配列型表示装置を提供することができる。
【図面の簡単な説明】
【０００８】
【図１】実施形態の表示装置１の分解斜視図である。
【図２】表示装置１の部分断面図である。
【図３】表示部１０の平面図である。
【図４】光学シート２０の平面図である。
【図５】表示部１０と光学シート２０とを重ね合わせた表示装置１の平面図である。
【図６】配列型表示装置１００の外観図である。
【図７】図６のＸ−Ｘ線断面図である。
【図８】導光部２００の他の実施形態を説明する図である。
【発明を実施するための形態】
【０００９】
以下、本発明の実施形態ついて説明する。なお、本明細書に添付した図面においては、理解しやすさ等を考慮して、各部の形状、縮尺、縦横の寸法比等を、実物から変更又は誇張している。また、図面においては、部材の断面を示すハッチングを適宜に省略する。
本明細書等において、形状、幾何学的条件、これらの程度を特定する用語、例えば、「平行」、「直交」、「方向」等については、その用語の厳密な意味に加えて、同様の光学的機能を奏し、ほぼ平行、ほぼ直交等とみなせる程度の範囲、概ねその方向とみなせる範囲を含む。
【００１０】
図１は、本実施形態の表示装置１の分解斜視図である。図２は、表示装置１の部分断面図である。図２は、図１に示す表示装置１のＺ−Ｙ平面と平行な断面の一部を示している。図３は、表示部１０の平面図である。図４は、光学シート２０の平面図である。図５は、表示部１０と光学シート２０とを重ね合わせた表示装置１の平面図である。
なお、各図においては、表示装置１の画面に平行であって、互いに直交する２方向をＸ（Ｘ１−Ｘ２）方向、Ｙ（Ｙ１−Ｙ２）方向とし、画面と直交する方向をＺ方向とする。Ｚ（Ｚ１−Ｚ２）方向において、Ｚ１側が背面側となり、Ｚ２側が観察側となる。
【００１１】
図１に示すように、表示装置１は、表示部１０と、光学シート２０と、を備える。本実施形態の表示装置１は、表示部１０から出射した光により形成される種々の情報（例えば、文字、図形、模様、パターン等）を光学シート２０で拡散させ、観察側に映像として表示する装置である。
【００１２】
表示部１０は、図２に示すように、観察側（Ｚ２側）の出射面１０ａに光を発する複数のＬＥＤ１１が埋め込まれたマクロＬＥＤアレイである。ＬＥＤ１１は、赤、緑及び青のうちのいずれか１色を発する発光素子であり、各色が規則的に配置されている。ＬＥＤ１１は、図３に示すように、出射面１０ａ上において、互いに直交するＸ方向及びＹ方向に等間隔で配置されている。図３において、二点鎖線で示す範囲は、表示部１０の出射面１０ａ上に接合層２２（後述）を介して光学シート２０と重ね合わせたときに、ＬＥＤ１１と対応する画素領域２５の範囲を示している（以下、表示装置１において画素領域２５に相当する領域を「画素」ともいう）。なお、図示していないが、表示部１０の出射面１０ａには、光の反射を抑制した黒色の光吸収層が全面に形成されている。
【００１３】
光学シート２０は、表示部１０の出射面１０ａ側に配置される光学部材である。光学シート２０は、表示部１０から発せられた光を導光方向（後述）に導きながら、出射面となる第２面２１ｂ（後述）から観察側（Ｚ２側）へ出射させる機能を有する。
【００１４】
図２に示すように、光学シート２０は、シート本体２１と、接合層２２と、拡散部２３と、遮光部２４と、を備える。
シート本体２１は、第１面２１ａ及び第１面２１ａと反対側の第２面２１ｂを有するシート状の透明部材である。第１面２１ａは、ＬＥＤ１１（表示部１０）から発せられた光が入射する面である。第２面２１ｂは、シート本体２１に入射した光が出射する面である。
【００１５】
図２に示すように、シート本体２１の第２面２１ｂには、拡散部２３（後述）と、拡散部２３のない領域と、が混在している。シート本体２１の第１面２１ａから入射した光のうち、第２面２１ｂに対する入射角が臨界角未満となる光は、拡散部２３では拡散され、第２面２１ｂから観察側（Ｚ側）に出射する。また、前記光は、拡散部２３のない領域では第２面２１ｂで屈折して観察側に出射する。
【００１６】
一方、シート本体２１に入射した光のうち、第１面２１ａに対する入射角が臨界角以上となる光は、第１面２１ａにおいて、第２面２１ｂに向けて全反射する。第１面２１ａ及び第２面２１ｂは、シート本体２１の厚さ方向（Ｚ方向）において平行であるため、これらの面に対する入射角が臨界角以上となる光は、第１面２１ａと第２面２１ｂとの間で全反射を繰り返しながら、導光方向である面方向（Ｘ−Ｙ平面）に導かれる。導光方向に導かれた光の一部は、拡散部２３で拡散され、第２面２１ｂから観察側に出射する。
シート本体２１は、例えば、アクリル樹脂、ポリカーボネート樹脂等により形成される。シート本体２１の厚さは、例えば、０．３〜５ｍｍの範囲とすることが好ましい。
【００１７】
接合層２２は、表示部１０の出射面１０ａとシート本体２１の第１面２１ａとの間を接合する層である。接合層２２は、例えば、透明接着シート、透明接着剤等により形成される。接合層２２の厚さは、例えば、１０〜５０μｍの範囲とすることが好ましい。なお、接合層２２は、例えば、光透過率が８０％以上であれば透明でなくてもよく、着色されていてもよい。
接合層２２の屈折率は、シート本体２１と同等であることが好ましい。接合層２２の屈折率をシート本体２１と同等とすることにより、接合層２２からシート本体２１の第１面２１ａに入射する光の屈折を小さくして、光をより真っ直ぐ進行させることができる。
【００１８】
後述するように、本実施形態の表示装置１では、シート本体２１の内部において、光を所望の範囲に拡散させるために、光学シート２０の厚さＨと、表示部１０のＸ−Ｙ方向に隣接するそれぞれのＬＥＤ１１の中心間の距離Ｐとが適切な数値に設定されている。このように、光を所望の範囲に拡散させるためには、光を設計通りの角度で進行させる必要がある。接合層２２の屈折率をシート本体２１と同等として、接合層２２からシート本体２１に入射する光の屈折を小さくすることにより、シート本体２１の内部において、光を設計通りの角度で進行させることが可能となる。なお、接合層２２の屈折率は、例えば、シート本体２１の屈折率に対して、−５〜＋５％の範囲とすることが好ましい。
【００１９】
シート本体２１の第２面２１ｂには、複数の拡散部２３が配置されている。拡散部２３は、第１面２１ａから入射した光を拡散させ、第２面２１ｂから出射させる機能を有する。拡散部２３は、半透明の樹脂片により形成される。図４に示すように、複数の拡散部２３は、シート本体２１の第２面２１ｂに離散的に配置されている。ここで、離散的とは、拡散部２３が全体として連続的に配置されていないことを意味する。すなわち、拡散部２３は、シート本体２１の第２面２１ｂにおいて、図４に示すようにランダムに配置されていてもよいし、規則的なパターン（例えば、格子状、千鳥状）で配置されていてもよい。
【００２０】
拡散部２３は、シート本体２１に入射した光を拡散することができれば、どのような材質、形状であってもよい。例えば、拡散部２３は、光拡散性を有するシート、フィルム等からなる樹脂片でもよい。また、拡散部２３は、白色の樹脂片、白色の印刷層でもよい。このような光透過性を有しない拡散部２３の場合、光は反射により拡散する。更に、拡散部２３は、シート本体２１の第２面２１ｂに形成された凸部（ディンプル）であってもよい。
【００２１】
拡散部２３の大きさは、例えば、拡散部２３を円形とした場合、平均直径は２０〜２００μｍ程度とすることが好ましい。また、表示部１０の１画素の開口面積に占める拡散部２３の面積（総和）の割合は、およそ１０〜２０％程度とすることが好ましい。
【００２２】
本実施形態の光学シート２０（シート本体２１）は、複数の拡散部２３が離散的に配置されているため、図５に示すように、表示部１０（不図示）と重ね合わせると、拡散部２３は、画素領域２５（後述）の上だけでなく、隣接する画素領域２５との間にも配置される。これによれば、ＬＥＤ１１から発せられた光は、画素領域２５の領域で拡散するだけでなく、隣接する画素領域２５との間でも拡散する。そのため、表示装置１において、画素間の黒色空間を目立ちにくくすることができる。
【００２３】
また、光学シート２０は、複数の拡散部２３が離散的に配置されているため、拡散部２３により外光が散乱する割合を少なくすることができる。従って、拡散部２３を離散的に配置していない場合（例えば、拡散部２３をほぼ全面に配置した場合）に比べて、コントラストの低下を抑制することができる。
【００２４】
遮光部２４は、画素領域２５で拡散した光の一部を隣接する画素領域２５へ進行させ、その他の光が隣接する画素領域２５へ進行するのを抑制する部材である。遮光部２４は、例えば、カーボンブラック等の黒色微粒子を含んだ紫外線硬化型樹脂等により形成される。
【００２５】
遮光部２４は、図４に示すように、観察側（Ｚ２側）から見たときに、互いに直交するＸ方向及びＹ方向に沿って格子状に形成されている。シート本体２１において、遮光部２４により区切られる正方形の各領域は、表示部１０のＬＥＤ１１に対応する画素領域２５の範囲を示している。
【００２６】
図４に示すように、遮光部２４は、Ｘ−Ｙ方向において隣接するそれぞれの画素領域２５の間に配置されている。そのため、遮光部２４により区切られた１つの画素領域２５の一辺の長さＥは、Ｘ−Ｙ方向において隣接するそれぞれの画素領域２５の中心間の距離Ｐと等しくなる。なお、図４では、光学シート２０の背面側に表示部１０を重ね合わせたときのＬＥＤ１１の位置（２箇所）を模式的に示している。
【００２７】
表示装置１をＺ２側からＺ１側に見たときに、Ｘ−Ｙ方向において隣接するそれぞれの画素領域２５の中心間の距離Ｐは、Ｘ−Ｙ方向において隣接するそれぞれのＬＥＤ１１の中心間の距離と等しい（以下、Ｘ−Ｙ方向において隣接するＬＥＤ１１の中心間の距離をＰともいう）。
【００２８】
遮光部２４は、図２に示すように、シート本体２１（光学シート２０）の厚さ方向に沿って延在している。本実施形態において、遮光部２４は、断面が細長い矩形状に形成されている。遮光部２４は、背面側（Ｚ１側）の端部がシート本体２１の第１面２１ａと同じ位置にあり、観察側（Ｚ２側）の端部が第２面２１ｂよりも第１面２１ａ側に位置している。ＬＥＤ１１からシート本体２１に入射した光の多くは、隣接する画素への進行が遮光部２４により遮られるため、隣接する画素領域２５に入射した光と画素間で混ざり合うことがない。従って、表示装置１は、画素間で画像がぼやけることがない。
【００２９】
一方、遮光部２４の観察側の端部がシート本体２１の第２面２１ｂと同じ位置にあると、入射した光のすべてが隣接する画素へ進行しなくなるため、表示装置１において、画素間の黒色空間が目立ちやすくなる。しかし、本実施形態の遮光部２４は、図２に示すように、観察側の端部とシート本体２１の第２面２１ｂとの間に、光の進行が可能な領域を有するため、１つの画素領域２５に入射した光の一部は、この領域から隣接する画素領域２５へ進行する。これによれば、隣接する画素領域２５へ進行した光は、同じく隣接する画素領域２５から進行してきた光と混ざり合うため、表示装置１において、画素間の黒色空間を目立ちにくくすることができる。このように、本実施形態の遮光部２４は、画素間を完全に分離しないため、表示装置１において、画素間で画像がぼやけることがなく、また画素間の黒色空間を目立ちにくくすることができる。
【００３０】
また、図２に示すように、遮光部２４の側面には、反射層２４ａが形成されている。遮光部２４の側面に反射層２４ａを形成することにより、隣接する画素に向けて進行した光の一部を反射層２４ａで反射させて、再び同じ画素内に戻すことができるため、画素内に入射した光をより有効に利用することができる。なお、遮光部２４において、反射層２４ａの代わりに光吸収層を形成してもよい。遮光部２４の側面に光吸収層を形成することにより、遮光部２４による遮光性をより高めることができる。
【００３１】
ここで、光学シート２０の厚さと、表示部１０のＸ−Ｙ方向に隣接するそれぞれのＬＥＤ１１の中心間の距離Ｐとの関係について説明する。
図２に示すように、光学シート２０の厚さをＨ、表示部１０のＸ−Ｙ方向に隣接するそれぞれのＬＥＤ１１の中心間の距離をＰとした場合に、
５０°＜９０°−ａｒｃ・ｔａｎ（Ｈ／（Ｐ／２））＜７０°・・・（１）
を満たすように、光学シート２０の厚さＨ及び表示部１０におけるＬＥＤ１１の距離Ｐが設定されている。
【００３２】
例えば、９０°−ａｒｃ・ｔａｎ（Ｈ／（Ｐ／２））の値が５０°の場合、光学シート２０の厚さＨは１．６８ｍｍ、ＬＥＤ１１の中心間の距離Ｐは４ｍｍとなる。また、９０°−ａｒｃ・ｔａｎ（Ｈ／（Ｐ／２））の値が７０°の場合、光学シート２０の厚さＨは０．７２８ｍｍ、ＬＥＤ１１の中心間の距離Ｐは４ｍｍとなる。
【００３３】
式（１）において、９０°−ａｒｃ・ｔａｎ（Ｈ／（Ｐ／２））の値が５０°に満たない場合、ＬＥＤ１１の中心から延ばした垂線に対して５０°以上に広がる光のほとんどは、隣接する画素の方向に十分な距離を移動することなしに、画素間に配置された遮光部２４に遮られてしまう。これによれば、拡散部２３で拡散する光が少なくなるのに加えて、前述した隣接する画素間での光の混ざり合いが生じにくくなるため、表示装置１において、画素間の黒色空間が目立ちやすくなる。
【００３４】
一方、式（１）において、９０°−ａｒｃ・ｔａｎ（Ｈ／（Ｐ／２））の値が７０°を超える場合、ＬＥＤ１１の中心から延ばした垂線に対して７０°以上に広がる光のほとんどは、画素間に配置された遮光部２４に遮られにくくなり、広い範囲に拡散するため、単位面積当たりの光量が低下してしまう。このように、７０°以上に広がる光は、観察側（Ｚ２側）に向かう光として利用されにくいため、観察者に明るい光として視認されにくくなる。
【００３５】
従って、式（１）において、９０°−ａｒｃ・ｔａｎ（Ｈ／（Ｐ／２））の値が５０°以上７０°以下を満たすように光学シート２０の厚さ及び表示部１０におけるＬＥＤ１１の距離Ｐを設定することにより、表示装置１において、画素間における黒色空間を目立ちにくくすることができる。また、単位面積当たりの光量の低下が抑制されるため、観察者に明るい光として視認されやすくなる。
なお、接合層２２が十分に薄い場合（例えば、５０μｍ以下の場合）には、シート本体２１の厚さをＨとしてもよい。
【００３６】
上述した本実施形態の光学シート２０及び表示装置１によれば、例えば、以下のような効果を奏する。
本実施形態の光学シート２０において、シート本体２１の第１面２１ａから入射したＬＥＤ１１の光は、シート本体２１に配置された複数の拡散部２３により拡散される。これによれば、光学シート２０は、ＬＥＤ１１から発せられた光を、画素の部分だけでなく、画素間にも拡散させることができるため、表示装置１において、画素間の黒色空間を目立ちにくくすることができる。また、光学シート２０において、シート本体２１の第１面２１ａから入射した光の多くは、隣接する画素への進行が遮光部２４により遮られ、隣接する画素に入射した光と画素間で混ざり合うことがないため、表示装置１において、画素間において画像がぼやけることがない。また、光学シート２０の遮光部２４は、画素間を完全に分離しないため、表示装置１において、画素間で画像がぼやけることがなく、また画素間の黒色空間を目立ちにくくすることができる。
従って、本実施形態の光学シート２０及びこれを備えた表示装置１によれば、表示される映像の画質をより向上させることができる。
【００３７】
本実施形態の表示装置１は、光学シート２０の厚さをＨ、表示部１０のＸ−Ｙ方向に隣接するそれぞれのＬＥＤ１１の中心間の距離をＰとした場合に、５０°＜９０°−ａｒｃ・ｔａｎ（Ｈ／（Ｐ／２））＜７０°を満たすように光学シート２０の厚さ及び表示部１０におけるＬＥＤ１１の距離Ｐが設定されている。そのため、本実施形態の表示装置１によれば、画素間における黒色空間を目立ちにくくすることができる。また、表示装置１によれば、単位面積当たりの光量の低下が抑制されるため、観察者に明るい光として視認されやすくなる。
【００３８】
本実施形態の光学シート２０において、複数の拡散部２３は、離散的に配置されている。これによれば、拡散部２３において、外光が散乱する割合が少なくなるため、コントラストの低下を抑制することができる。
【００３９】
本実施形態の光学シート２０において、複数の拡散部２３は、光学シート２０（シート本体２１）の第２面２１ｂに配置されている。そのため、光学シート２０は、拡散部２３がシート本体２１の内部に配置されている場合に比べて、入射した光をより広範囲に拡散させることができる。
【００４０】
本実施形態の光学シート２０において、遮光部２４の側面には、反射層２４ａが形成されている。これによれば、シート本体２１の第１面２１ａから入射した光の一部を反射層２４ａで反射させて、再び同じ画素内に戻すことができるため、入射した光をより有効に利用することができる。また、遮光部２４の側面に光吸収層を形成した場合は、遮光部２４による遮光性をより高めることができる。
【００４１】
次に、本実施形態の配列型表示装置１００について説明する。
図６は、本実施形態の配列型表示装置１００の外観図である。図７は、図６のＸ−Ｘ線断面図である。図６及び図７では、先に説明した実施形態と同じ構成部材に同一符号を付して説明する。
【００４２】
図６に示すように、配列型表示装置１００は、４枚の表示装置１を組み合わせた大画面のディスプレイパネルである。４枚の表示装置１は、それぞれの対向する側面同士が隙間Ｓを介して接するように格子状に設置されている。各表示装置１は、表示部１０の背面側において、連結用の部材（不図示）により固定されている。隙間Ｓは、隣接する表示装置１の側面同士を均等な間隔で対向させるために設けられている。
なお、配列型表示装置１００に用いられる各表示装置１は、隣接する他の表示装置１と対向する側において、最も外側の遮光部２４（図２参照）が省略されている。
【００４３】
図７に示すように、表示装置１の側面には、導光部２００が形成されている。導光部２００は、光学シート２０の側面に達した光を、その側面から隙間Ｓを介して観察側（Ｚ２側）に出射させる機能を有する。導光部２００は、表示装置１において、隣接する他の表示装置１と対向する２辺（Ｘ方向及びＹ方向）に形成されている。
【００４４】
導光部２００は、複数の単位光学形状部２１０により構成される。単位光学形状部２１０は、Ｘ方向（又はＹ方向）に沿って延在し、厚さ方向（Ｚ方向）に沿って複数形成されている。単位光学形状部２１０は、隣接する他の表示装置１と対向する側に凸となるように、Ｚ−Ｙ平面と平行な断面が略三角形状に形成されている。単位光学形状部２１０は、第１傾斜面２１１と、この第１傾斜面２１１と対向する第２傾斜面２１２と、から構成される。
【００４５】
第１傾斜面２１１は、表示部１０から発せられ、側面に達した光Ｌが入射する面である。第１傾斜面２１１は、光学シート２０の側面に対して上向きに進行してくる光Ｌと対向するように、斜め上方向（Ｚ２方向）に向くように形成されている。
第２傾斜面２１２は、第１傾斜面２１１で全反射した光Ｌが出射する面である。第２傾斜面２１２は、Ｘ方向（又はＹ方向）と略平行となるように形成されている。
【００４６】
単位光学形状部２１０は、図７に示すように、光学シート２０の厚さ方向（Ｚ方向）において、第１面２１ａ側から第２面２１ｂ側に向かうにつれて、高さｈが段階的に低くなるように形成されている（ｈ１＞ｈ２＞ｈ３）。単位光学形状部２１０の高さｈを段階的に低くするにより、第１面２１ａ側に近い単位光学形状部２１０で反射した光Ｌが、第２面２１ｂ側に形成された単位光学形状部２１０（第１傾斜面２１１）と干渉するのを抑制できる。
【００４７】
光学シート２０の側面が平坦面であると、隣接する他の表示装置１との間からは光が出射しにくくなるため、隣接する表示装置１との間の隙間Ｓが筋のように見えてしまう。
これに対して、本実施形態の配列型表示装置１００では、図７に示すように、光学シート２０の側面に達した光Ｌが、単位光学形状部２１０の第１傾斜面２１１で全反射し、第２傾斜面２１２から観察側へ出射する。このように、配列型表示装置１００の各表示装置１では、光学シート２０の側面において、各単位光学形状部２１０から光Ｌが出射するため、隣接する表示装置１との間の隙間Ｓが筋として視認されにくくなる。
【００４８】
なお、単位光学形状部２１０は、光学シート２０の側面において、第１面２１ａ側から第２面２１ｂ側の全面に形成されていてもよいし、観察側の半分の領域に形成されていてもよい。また、単位光学形状部２１０は、隣接する表示装置１において、それぞれの光学シート２０の側面に形成されていることが好ましいが、少なくとも一方の光学シート２０の側面に形成されていればよい。
【００４９】
図８は、導光部２００の他の実施形態を説明する図である。図８（Ａ）に示す例では、導光部２００Ａとして、光学シート２０の観察側（Ｚ２側）の角部に形成された曲面が形成されている。図８（Ａ）に示すように、光学シート２０の側面に達した光Ｌは、導光部２００Ａの曲面で屈折し、隙間Ｓから観察側へ出射する。
【００５０】
また、図８（Ｂ）に示す例では、導光部２００Ｂとして、光学シート２０の側面に拡散層が形成されている。図８（Ｂ）に示すように、光学シート２０の側面に達した光Ｌは、導光部２００Ｂで拡散し、隙間Ｓから観察側（Ｚ２側）へ出射する。
上述した導光部２００Ａ、２００Ｂにおいても、光学シート２０の側面に達した光をより多く観察側に向けて出射させることができるため、隣接する表示装置１との間の隙間Ｓが筋として視認されにくくなる。
【００５１】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、上述の実施形態及び後述する変形形態は、適宜に組み合わせて用いることもできるが、詳細な説明は省略する。
【００５２】
（変形形態）
本実施形態では、表示部１０の出射面１０ａ上に、ＬＥＤ１１が互いに直交するＸ方向及びＹ方向に等間隔で配置される例について説明したが、これに限定されない。ＬＥＤ１１は、例えば、千鳥状に配置されてもよいし、特定のパターンに基づいて規則的に配置されてもよい。
【００５３】
本実施形態では、拡散部２３を、シート本体２１の第２面２１ｂ（出射面）に配置した例について説明したが、これに限定されない。拡散部２３は、シート本体２１の内部に配置されてもよいし、第２面２１ｂとシート本体２１の内部の両方に配置されてもよい。
【００５４】
本実施形態では、遮光部２４を、断面が細長い矩形状とした例について説明したが、これに限定されない。遮光部２４は、断面が縦長の台形、三角形等でもよい。また、遮光部２４の側面は、平坦面に限らず、例えば、凹凸形状を有する面としてもよい。
【００５５】
本実施形態では、発光素子として、ＬＥＤ（発光ダイオード）を用い例について説明したが、これに限定されない。発光素子は、例えば、有機ＥＬ（エレクトロ・ルミネッセンス）でもよい。また、本実施形態では、表示部１０として、マイクロＬＥＤアレイを用いた例について説明したが、これに限定されない。接合層２２において、ＬＥＤと接する部分にスペースを形成することにより、通常のＬＥＤアレイを用いることもできる。
【符号の説明】
【００５６】
１    表示装置
１０    表示部
１１    ＬＥＤ
２０    光学シート
２１    シート本体
２１ａ    第１面
２１ｂ    第２面
２２    接合層
２３    拡散部
２４    遮光部
２４ａ    反射層
１００    配列型表示装置
２００，２００Ａ，２００Ｂ    導光部
２１０    単位光学形状部
２１１    第１傾斜面
２１２    第２傾斜面
【図１】
2018066871.tif 000003
【図２】
2018066871.tif 000004
【図３】
2018066871.tif 000005
【図４】
2018066871.tif 000006
【図５】
2018066871.tif 000007
【図６】
2018066871.tif 000008
【図７】
2018066871.tif 000009
【図８】
2018066871.tif 000010